(57)【要約】      （修正有）【課題】果物ナイフやその他の刃物を使うことなく、何処でも即座に便利良く食べることができ、生鮮度と衛生感に富む包装柑橘類を提供する。【解決手段】１条の開封線１３が切り込まれた房１０の複数個を、分割線１２が切り込まれた果皮１１により復元状態に閉じ込め包囲した原形として、その全体を透明又は半透明のプラスチックフィルム１７により真空パックした。【選択図】図３
0003112240.tif 000002
【実用新案登録請求の範囲】
【請求項１】
１条の開封線（１３）が切り込まれた房（１０）の複数個を、分割線（１２）が切り込まれた果皮（１１）により復元状態に閉じ込め包囲した原形として、その全体を透明又は半透明のプラスチックフィルム（１７）により真空パックしたことを特徴とする包装柑橘類。
【請求項２】
果皮（１１）の分割線（１２）を採果痕跡であるへそ部（ａ）又はその対極部（ｂ）から、全体的なほぼ放射対称型の縦分割線として切り込んだことを特徴とする請求項１記載の包装柑橘類。
【請求項３】
果皮（１１）の分割線（１２）を縦分割線として、採果痕跡であるへそ部（ａ）とその対極部（ｂ）との何れか一方から、他方までは到達しない一定長さ（Ｌ）分だけ切り込むことにより、その他方に切り残し部（１８）を設けたことを特徴とする請求項１記載の包装柑橘類。
【請求項４】
房（１０）から種（１６）を除去したことを特徴とする請求項１、２又は３記載の包装柑橘類。
【考案の詳細な説明】
【技術分野】
【０００１】
本考案は果物ナイフやその他の刃物を使うことなく、何処でも即座に便利良く食べることができ、生鮮度と衛生感に富む包装柑橘類に関する。
【背景技術】
【０００２】
一般に、甘夏やハッサク、伊予柑、ネーブルなどと呼ばれている各種柑橘類は、その加工された缶詰を除き、生食用として裸状態での丸ごと販売されている通例である。
【０００３】
他方、リンゴや梨、桃、柿を対象とする真空パック品については、実用新案登録第３０３６７２５号と特開２００２−５１６９４号が提案されている。
【特許文献１】実用新案登録第３０３６７２５号公報
【特許文献２】特開２００２−５１６９４号公報
【考案の開示】
【考案が解決しようとする課題】
【０００４】
上記柑橘類は果皮の薄く軟らかい小型品種に限り、その果皮を手先でも剥くことができるが、リンゴや梨、桃、柿とは異なって、更に複数個の房（袋）も剥く必要があるため、甚だ煩らわしく、手先に独特の果汁と臭いが付着することや、アットランダムな剥離片が発生することとも相俟って、移動中の車内や屋外では食べ難い問題がある。
【０００５】
又、果皮が厚く硬い大型品種の場合、果物ナイフやその他の刃物を用意しなければ、その果皮を剥くことができず、近時の刃物を使い慣れない子供は勿論のこと、特に手先の不自由な老人や病弱者などにとって危険であり、やはり誰でも場所を選ばずに便利良く食べることができない。
【０００６】
何れにしても、一旦果皮を剥き、個々に区分けした房（袋）を露出すると、早期に乾燥して皺寄り状態となり、生鮮度と外観体裁が低下してしまう結果、すべて食べ終らないうちに廃棄する無駄を生じるのである。
【課題を解決するための手段】
【０００７】
本考案はこのような問題点の改良を目的としており、その目的を達成するために、請求項１では１条の開封線が切り込まれた房の複数個を、分割線が切り込まれた果皮により復元状態に閉じ込め包囲した原形として、その全体を透明又は半透明のプラスチックフィルムにより真空パックしたことを特徴とする。
【０００８】
請求項２では上記請求項１に従属する構成として、果皮の分割線を採果痕跡であるへそ部又はその対極部から、全体的なほぼ放射対称型の縦分割線として切り込んだことを特徴とする。
【０００９】
又、請求項３では同じく請求項１に従属する構成として、果皮の分割線を縦分割線として、採果痕跡であるへそ部とその対極部との何れか一方から、他方までは到達しない一定長さ分だけ切り込むことにより、その他方に切り残し部を設けたことを特徴とする。
【００１０】
更に、請求項４では上記請求項１、２又は３に従属する構成として、房から種を除去したことを特徴とする。
【考案の効果】
【００１１】
請求項１の上記構成によれば、柑橘類の果皮に予じめ分割線が切り込まれているだけでなく、複数個の房（袋）にも１条づつの開封線が切り込まれているため、消費者としては希望の時にプラスチックフィルムを開封し、果物ナイフやその他の刃物を使うことなく、何処でも即座に果肉を食べることができ、特に老人や病弱者向けとして著しく有用である。
【００１２】
しかも、複数個の房（袋）を果皮により復元状態に閉じ込め包囲した原形として、その全体の丸ごとが透明又は半透明のプラスチックフィルムにより真空パックされているため、商品としての優美な外観体裁と生鮮度を長時間保持することができ、屋外にも衛生上安心して持ち運べるほか、その包装状態の透視により消費者の購買意欲を昂め得る効果もある。
【００１３】
その場合、請求項２の構成を採用するならば、その果皮を全体的なほぼ放射対称型の縦分割線から分割することにより、複数個の房（袋）を極めて容易に取り出すことができ、その分割したほぼ均等な大きさの果皮を、例えば浴槽へ投入することにより、そのまま香気が発散する入浴剤として活用することも可能となる。
【００１４】
特に、請求項３の構成を採用するならば、果皮の縦分割線が採果痕跡のへそ部又はこれとの対極部まで到達しない一定長さ分として、その周辺での切り残し部を有するため、復元状態の原形が一層優美に保たれることとなり、消費者に違和感を与えるおそれがない。
【００１５】
それにも拘らず、果皮を縦分割線から手先により支障なく分割できるため、複数個の房（袋）に予じめ開封線が切り込まれていることとも相俟って、やはり誰でも場所を選ばず即座に食べられるのであり、利便性が向上する。
【００１６】
更に、請求項４の構成を採用するならば、種を持つ柑橘類であっても、その房（袋）から一々種を除去する煩らわしい作業が不要となり、これが周辺に散乱するおそれも解消できるのである。
【考案を実施するための最良の形態】
【００１７】
以下、図面に基いて本考案の具体的構成を詳述すると、図１はその本考案に係る包装柑橘類としての完成品を示しており、（Ｍ）は複数個の房（袋）（１０）を具備する柑橘類であって、ハッサクや甘夏、伊予柑、ネーブル、その他の既存品種を初め、新らしい交雑品種などの如何を問わない。
【００１８】
本考案では、このような裸状態の各種柑橘類（Ｍ）を産地での採果後、速やかに洗浄し、必要に応じて殺菌やその他の処理を行ない、適当な皮剥き器具（図示省略）を用いて、その果皮（１１）に厚み相当分の深さだけ分割線（１２）を切り込み加工する。
【００１９】
茲に、複数条の分割線（１２）は図２に示す如く、上記柑橘類（Ｍ）の採果痕跡であるへそ部（頂点）（ａ）か、又はこれとの対極部（底面の中心）（ｂ）から、望ましくは全体的なほぼ放射対称型の縦分割線として切り込むのである。
【００２０】
そうすれば、その縦分割線は未だ結合状態に整列している房（袋）（１０）同志の境界線と実質上平行するため、引き続く房（１０）同志の分離作業をすばやく容易に行なうことができ、果皮（１１）の分割片としてもほぼ均等な大きさに揃うこととなり、後処理や後利用の利便性に役立つ。
【００２１】
そして、このような複数条の分割線（１２）から果皮（１１）を一旦剥き取ると、複数個の房（１０）が露出することとなるため、引き続きその房（１０）同志を分離して、適当なカッターやその他の刃物（図示省略）により、その各個の房（１０）に１条の開封線（１３）を切り込むのである。
【００２２】
その開封線（１３）は図３から明白なように、上記柑橘類（Ｍ）の縦中心線と平行な直線として、その１条だけを房（１０）の薄膜（１４）へ切り込めば良く、そうすれば消費者が容易に果肉（１５）を食べられる状態となる。尚、種（１６）を有する柑橘類（Ｍ）の場合には、その房（１０）の開封線（１３）から種（１６）を予じめ除去しておく。
【００２３】
次に、上記房（１０）のすべてに開封線（１３）を切り込み加工し終えたならば、その複数個の房（１０）を当初の復元状態に整列させ、上記果皮（１１）により閉じ込め包囲した言わば柑橘類（Ｍ）の原形として、その全体の丸ごとを透明又は半透明の食品包装用プラスチックフィルム（１７）により真空パックし、外部から透視できる商品として密封する。
【００２４】
その場合、先の図１と対応する別な図２から看取されるように、果皮（１１）の上記分割線（１２）を房（１０）同志の境界線と実質上平行な縦分割線としつつも、これらを柑橘類（Ｍ）の採果痕跡であるへそ部（ａ）とその対極部（ｂ）との何れか一方から、他方までは到達しない一定長さ（Ｌ）分だけ切り込んで、その他方の周辺にほぼ円形な切り残し部（１８）を設けておくことが好ましい。
【００２５】
そうすれば、その円形の切り残し部（１８）を言わば折り曲げ支点として、上記果皮（１１）を一旦展開した花弁状態から、複数個の房（１０）同志を支障なく分離作業できるほか、その房（１０）を引き続き復元状態に閉じ込め包囲する果皮（１１）が、複数個の分割片としてバラバラにならず、依然連繋状態にあるため、その原形をリアルな柑橘類（Ｍ）のそれと同じ優美に保てるのであり、消費者に人工的な違和感を与えるおそれが無くなる。
【００２６】
何れにしても、本考案の包装柑橘類は真空パックされた商品として、その生鮮度と衛生感を長時間保持することができ、これを透視して購入した消費者としては、上記プラスチックフィルム（１７）を開封し、手先だけで果皮（１１）を展開すると共に、その房（１０）の各個を開封することにより、何処でも即座に便利良く果肉（１５）を食べられるのである。
【００２７】
その結果、食べ残しを生ずるおそれが無くなり、特に刃物を使い慣れない子供や老人、病弱者などにとって、著しく有用であり、移動中の車内や屋外にも支障なく持ち出せる。分割した果皮（１１）はそのまま入浴剤として、浴槽に投入使用したり、細かくカットして、麺類に混入させたりすることができる。
【００２８】
尚、図示の実施形態では柑橘類（Ｍ）の１個を真空パックしているが、その大きさ次第によっては複数個を、共通のプラスチックフィルム（１７）により真空パックしても勿論良い。又、その際には酸化防止剤や乾燥防止剤などを一緒に封入したり、そのプラスチックフィルム（１７）に柑橘類（Ｍ）の産地名や包装日付などが印刷されたラベル（図示省略）を貼り付けたりしても良い。真空パックするための器具としても、その内部の脱気作用を行なえる限り、適当なものを使用すれば良い。
【図面の簡単な説明】
【００２９】
【図１】本考案に係る包装柑橘類の斜面図である。
【図２】図１の底面図である。
【図３】図１の中央横断面図である。
【図４】真空パックする前の柑橘類を展開状態として示す断面図である。
【図５】房を抽出して示す斜面図である。
【符号の説明】
【００３０】
（１０）・房（袋）
（１１）・果皮
（１２）・分割線
（１３）・開封線
（１４）・薄膜
（１５）・果肉
（１６）・種
（１７）・プラスチックフィルム
（１８）・切り残し部
（Ｍ）・柑橘類
（ａ）・へそ部（頂点）
（ｂ）・対極部（底面の中心）
（Ｌ）・一定長さ
【図１】
0003112240.tif 000003
【図２】
0003112240.tif 000004
【図３】
0003112240.tif 000005
【図４】
0003112240.tif 000006
【図５】
0003112240.tif 000007